(57)【要約】【課題】ナット螺合前のボルトが配管支持具の挿通孔から脱落するのを防止すると共に、ナット螺合に際してナットの回転にボルトが伴回りすることがなく、しかもボルト・ナットによってタンバックルの如き支持具に配管支持バンドを仮止めした後に、伴回り防止具を装着でき、施工現場の状況によって個別に対応できる配管支持具用伴回り防止方法及び防止具を提供する。【解決手段】配管支持具に配管軸方向から着脱可能に取り付けられて用いられるボルトの伴回り防止具を、タンバックルの如き支持具にボルト・ナットを用いて配管支持バンドを仮止めした後に、配管軸方向から装着してボルト頭の伴回りを規制し、ボルト・ナットの締付けを行うことを特徴とする配管支持具用伴回り防止方法である。【選択図】    図１
2005003014.tif 000002
【特許請求の範囲】
【請求項１】
配管支持具に配管軸方向から着脱可能に取り付けられて用いられるボルトの伴回り防止具を、タンバックルの如き支持具にボルト・ナットを用いて配管支持バンドを仮止めした後に、配管軸方向から装着してボルト頭の伴回りを規制し、ボルト・ナットの締付けを行うことを特徴とする配管支持具用伴回り防止方法。
【請求項２】
配管支持具に配管軸方向から着脱可能に取り付けられて用いられるボルトの伴回り防止具であって、弾性のある金属や合成樹脂によって弾性体として作成されており、挟持部の双璧により仮止めされた配管用支持バンドの取付片を挟持できると共に、ボルト頭が回動するのを規制する規制部を有することを特徴とする配管支持具用伴回り防止具。
【請求項３】
配管支持具に配管軸方向から着脱可能に取り付けられて用いられるボルトの伴回り防止具であって、配管抱持部の取付片の一方の外側とタンバックルの如き支持具の脚部の一方の内側とを挟持するように側方から差し込む断面コ字形状を有し、コ字形状の挟持部の双璧にはボルト軸部が入り込む切込み部が形成されており、配管抱持部の取付片の一方の外側に位置するコ字形状の双璧の一方の切込み部には、ボルト頭の回動を規制する規制部が設けられており、タンバックルの如き支持具の脚部の一方の内側に位置するコ字形状の双璧の他方の切込み部は、ボルトのネジ谷間に入り込む間隔で形成されていることを特徴とする配管支持具用伴回り防止具。
【請求項４】
ボルトの回動を規制する前記規制部が、切り起こし形成、プレス形成、溶接、接着のいずれかの手段によって形成された突起形状であることを特徴とする請求項２又は３に記載の配管支持具用伴回り防止具。
【発明の詳細な説明】
【０００１】
【発明の属する技術分野】
本発明は配管支持具用伴回り防止方法及び防止具に関し、詳しくは配管用吊りバンドや立てバンドに挿通されるナット螺合前のボルトの脱落を防止し、且つボルトの伴回りを防止する配管支持具用伴回り防止方法及び防止具に関するものである。
【０００２】
【従来の技術】
従来、配管用吊りバンドや立てバンドに挿通されるナット螺合前のボルトの脱落を防止し、且つボルトの伴回りを防止する技術が種々提案されている（特許文献１、２及び３等参照）。
【０００３】
これらの従来技術では、配管抱持部の取付片とタンバックルの脚部とを抱え込むように伴回り防止具を装着した後にボルトを挿通することで、該ボルトの脱落とナット螺合時のボルトの伴回りを防止している。
【０００４】
【特許文献１】
特許第３３６４４６８号公報
【特許文献２】
特開２０００−１９２９３５号公報
【特許文献３】
特開平１０−３７９１８号公報
【０００５】
【発明が解決しようとする課題】
しかしこれらの技術では、ボルト・ナットによってタンバックルの如き支持具に配管支持バンドを仮止めした後には、伴回り防止具を装着できないという問題点を有している。
【０００６】
そこで本発明の課題は、ナット螺合前のボルトが配管支持具の挿通孔から脱落するのを防止すると共に、ナット螺合に際してナットの回転にボルトが伴回りすることがなく、しかもボルト・ナットによってタンバックルの如き支持具に配管支持バンドを仮止めした後に、伴回り防止具を装着でき、施工現場の状況によって個別に対応できる配管支持具用伴回り防止方法及び防止具を提供することにある。
【０００７】
【課題を解決するための手段】
本発明の上記課題は下記構成によって達成される。
【０００８】
１．配管支持具に配管軸方向から着脱可能に取り付けられて用いられるボルトの伴回り防止具を、タンバックルの如き支持具にボルト・ナットを用いて配管支持バンドを仮止めした後に、配管軸方向から装着してボルト頭の伴回りを規制し、ボルト・ナットの締付けを行うことを特徴とする配管支持具用伴回り防止方法。
【０００９】
２．配管支持具に配管軸方向から着脱可能に取り付けられて用いられるボルトの伴回り防止具であって、弾性のある金属や合成樹脂によって弾性体として作成されており、挟持部の双璧により仮止めされた配管用支持バンドの取付片を挟持できると共に、ボルト頭が回動するのを規制する規制部を有することを特徴とする配管支持具用伴回り防止具。
【００１０】
３．配管支持具に配管軸方向から着脱可能に取り付けられて用いられるボルトの伴回り防止具であって、配管抱持部の取付片の一方の外側とタンバックルの如き支持具の脚部の一方の内側とを挟持するように側方から差し込む断面コ字形状を有し、コ字形状の挟持部の双璧にはボルト軸部が入り込む切込み部が形成されており、配管抱持部の取付片の一方の外側に位置するコ字形状の双璧の一方の切込み部には、ボルト頭の回動を規制する規制部が設けられており、タンバックルの如き支持具の脚部の一方の内側に位置するコ字形状の双璧の他方の切込み部は、ボルトのネジ谷間に入り込む間隔で形成されていることを特徴とする配管支持具用伴回り防止具。
【００１１】
４．ボルトの回動を規制する前記規制部が、切り起こし形成、プレス形成、溶接、接着のいずれかの手段によって形成された突起形状であることを特徴とする上記２又は３に記載の配管支持具用伴回り防止具。
【００１２】
【発明の実施の形態】
本発明は、配管支持具に配管軸方向から着脱可能に取り付けられて用いられるボルトの伴回り防止具を、タンバックルの如き支持具にボルト・ナットを用いて配管支持バンドを仮止めした後に、施工現場の状況に応じ、配管軸方向から装着してボルト頭の伴回りを規制し、ボルト・ナットの締付けを行うものである。
以下、本発明の伴回り防止方法及び伴回り防止具の詳細について、添付図面に基づき説明する。
【００１３】
図１は本発明に係る配管支持具用伴回り防止具の第１実施例の使用状態を示す斜視図、図２は図１の配管支持具用伴回り防止具の６面図、図３は図１の配管支持具用伴回り防止具の装着状態を説明する要部平面図、図４は図１の配管支持具用伴回り防止具のボルト脱落防止状態を説明する右側面図、図５は本発明に係る配管支持具用伴回り防止具の第２実施例の使用状態を示す斜視図、図６は図５の配管支持具用伴回り防止具の６面図、図７は図５の配管支持具用伴回り防止具のボルト脱落防止及び伴回り防止状態を説明する右側面図、図８は図５の配管支持具用伴回り防止具のボルト伴回り防止状態を説明する正面図、図９は本発明に係る配管支持具用伴回り防止具の第２実施例の他の態様を示す正面図、図１０は配管立てバンドに用いて好適な実施例を示す斜視図である。
【００１４】
先ず、本発明に係る配管支持具用伴回り防止具の第１実施例について、図１〜図３に基づき説明する。
【００１５】
図１において、１は本発明に係る伴回り防止具、２は該伴回り防止具１が着脱可能に取り付けられる配管支持具である。
【００１６】
配管支持具２は、天井から吊り下げられた吊りボルトＢに取り付けられるナットＮ、タンバックル３、該タンバックル３の脚部３Ａ・３Ｂ、ボルト４、ナット５、配管支持バンド６（配管抱持部６Ａ・６Ｂ）、配管抱持部６Ａ・６Ｂ夫々の端部である取付片６Ｃ・６Ｄとから主として構成されている。仮想線で示されるＰは配管である。
【００１７】
伴回り防止具１は、弾性のある金属や合成樹脂によって弾性体として好ましくは図２に示すようにコ字形状に作成されており、図１に示すように配管支持具２に配管軸方向から着脱可能に取り付けられる際に、コ字形状の挟持部を弾性に抗しながら矢符Ｘに示すように開きながら（図３（Ａ）参照）、配管抱持部６Ａの取付片６Ｃの外側とタンバックル３の脚部３Ａの内側とを挟持するように側方から差し込まれるものである（図３（Ｂ）参照）。
【００１８】
コ字形状の伴回り防止具１の挟持部の双璧の一方１１には、ボルト４の頭が回動するのを規制する規制部１５が形成されており、挟持部の双璧の他方１２にはボルト４の軸部が入り込む切込み部１４が形成されている。
【００１９】
規制部１５は、ボルト４の頭より僅かに大きい正六角形となっており、伴回り防止具１の弾性に抗しながら挟持部の双璧１１・１２を開きながら配管支持具の所望の位置まで入り込むように差し込むと、双璧の一方１１に設けられた規制部１５内にボルト４の頭が入り込みながら挟持部の双璧１１・１２の間隔も元に戻ることで装着が完了する（図３（Ｃ）参照）。
【００２０】
ボルト４の頭が、該ボルト４の頭よわり僅かに大きく且つボルト頭と同形の正六角形である規制部１５に入り込むことにより、ボルト頭の回動が規制されるのでナット５を螺合する際のボルト４の伴回りを防止することができる。
【００２１】
規制部１５としては、図１及び図２に示されるようにボルト４の頭より僅かに大きい正六角形に限定されず、ボルト４の頭の回動を規制できる形状、即ち、ボルト４の頭の側部の一箇所乃至は複数箇所に当接して回動を規制できる構成であれば、正六角形のボルト４の頭の対向する１辺に当接する２辺を有する四角形でもよいし、３辺以上に当接する形状でもよい。
【００２２】
また本実施例では、規制部１５を挟持部の一方１１に穿った透孔のみで形成しているが、該透孔に加えてボルト４の頭の側部に当接する突起を該透孔の近傍に設けてもよい。突起の形成方法としては、双璧の一方１１を部分的に切り起こし形成又はプレス形成してもよいし、或いは、溶接、接着等によって他部材を付加する等の手段を採ることもできる。
【００２３】
タンバックル３の脚部３Ａの内側に位置するコ字形状の挟持部の双璧の他方１２の切込み部１４は、図４に示すようにボルト４のネジ谷間に入り込む間隔で形成されている。この構成によって、ボルト４の脱落を防止することができる。
【００２４】
上記の構成を有する本発明に係る伴回り防止具１は、配管支持具２の配管抱持部６Ａの取付片６Ｃの外側とタンバックル３の脚部３Ａの内側とを挟持するように、配管支持具２の側方である配管軸方向から差し込むことで、ナット５螺合前のボルト４の脱落を防止することができると共に、ナット５螺合時のボルト４の伴回りを防止することができる。
【００２５】
尚、本発明の伴回り防止具１は、着脱可能、即ち、ボルト４・ナット５を締め付けた後に、挟持部の双璧１１・１２をその弾性に抗して広げながら取付時と逆方向に引き抜くことによって取り外すことも可能であり、必要に応じ、配管支持具に取り外した伴回り防止具１を他の配管支持具２への再使用が可能である。
【００２６】
次に、本発明に係る配管支持具用伴回り防止具の第２実施例について、図５〜図９に基づき説明する。本第２実施例において、特に断りのない限り、上記第１の実施例と同じ符号のものは同様の構成を有するものであり、以下、説明を省略する場合もある。
【００２７】
図５において、１は本発明に係る伴回り防止具、２は該伴回り防止具１が着脱可能に取り付けられる配管支持具である。
【００２８】
伴回り防止具１は、図５に示すように配管支持具２に配管軸方向から着脱可能に取り付けられ、図６に示すように断面コ字形状を有し、配管抱持部６Ａの取付片６Ｃの外側とタンバックル３の脚部３Ａの内側とを挟持するように側方から差し込まれるものである。該伴回り防止具１の材質としては、ステンレスやアルミニウム等の金属製、或いはＡＢＳ等の合成樹脂製など、この種の配管支持具の材料として公知公用の材質から形成されている。
【００２９】
コ字形状の伴回り防止具１の挟持部の双璧１１・１２には、ボルト４の軸部が入り込む切込み部１３・１４が形成されている。
【００３０】
配管抱持部６Ａの取付片６Ｃの外側に位置するコ字形状の挟持部の双璧の一方１１の切込み部１３近傍には、図５、図７及び図８に示すように、ボルト４の頭の側部に当接して該ボルト４の回動を規制する規制部１５が設けられている。この構成によって、ナット５を螺合する際のボルト４の伴回りを防止することができる。
【００３１】
規制部１５としては、本実施例に示されるように切込み部１３部分を切り起こし形成した突起形状であることが好ましいが、該規制部の形成方法としては、プレス形成してもよいし、或いは、溶接、接着等によって他部材を付加する等の手段を採ることもできる。
【００３２】
タンバックル３の脚部３Ａの内側に位置するコ字形状の挟持部の双璧の他方１２の切込み部１４は、図７に示すようにボルト４のネジ谷間に入り込む間隔で形成されている。この構成によって、ボルト４の脱落を防止することができる。
【００３３】
上記の構成を有する本発明に係る伴回り防止具１は、配管支持具２の配管抱持部６Ａの取付片６Ｃの外側とタンバックル３の脚部３Ａの内側とを挟持するように、配管支持具２の側方である配管軸方向から差し込むことで、ナット５螺合前のボルト４の脱落を防止することができると共に、ナット５螺合時のボルト４の伴回りを防止することができる。
【００３４】
尚、本発明の伴回り防止具１は、着脱可能、即ち、ボルト４・ナット５を締め付けた後に取付時と逆方向に引き抜くことによって取り外すことも可能であり、必要に応じ、取り外した伴回り防止具１を他の配管支持具２への再使用が可能である。
【００３５】
尚また、規制部１５としては、ボルト４の頭の側部に当接して回動を規制する構成であれば上記実施例に示した突起形状に限らず、図９に示すように切込み部１３の切込み形状をボルト４の頭の側部を挟持する間隔で形成することで規制部１５としてもよい。
【００３６】
更にまた、本発明に係る伴回り防止具の第２実施例は、弾性のある金属や合成樹脂によって、挟持部の双璧１１・１２によりバンドの取付片６Ｃ・６Ｄを挟持できる弾性体として構成することもできる。
【００３７】
以上、本発明に係る伴回り防止具の第１及び第２実施例について説明したが、本発明は上記の吊り下げバンド形式の配管支持具に限定されず、壁面等から立ち上げられる立てバンド形式の配管支持具にも適用可能である。
【００３８】
上述した吊り下げバンド形式との違いは、ボルト及びナットの組み合わせが二組以上であることと、タンバックルの二本の脚部とは異なり、壁面等に取り付けた支持部材の脚部が一つであることである。かかる二点以外は基本的に吊り下げバンド形式と同様である。
【００３９】
立てバンド形式の配管支持具に用いる伴回り防止具としては、上述した実施例のものをボルト及びナットの組み数に応じた数だけ使用してもよいが、図１０に示すように二組以上（図１０は二組の場合を示す）のボルト及びナットに一体のものとして対応したのものを使用してもよい。
【００４０】
【発明の効果】
本発明によれば、ナット螺合前のボルトが配管支持具の挿通孔から脱落するのを防止すると共に、ナット螺合に際してナットの回転にボルトが伴回りすることがなく、しかもボルト・ナットによってタンバックルの如き支持具に配管支持バンドを仮止めした後に、伴回り防止具を装着でき、施工現場の状況によって個別に対応できる配管支持具用伴回り防止方法及び防止具を提供することができる。
【００４１】
よって、片手によってボルト・ナット締付け作業を行うことが適当な現場状況に応じ、伴回り防止具を後付け装着できて便利である。
【図面の簡単な説明】
【図１】本発明に係る配管支持具用伴回り防止具の第１実施例の使用状態を示す斜視図
【図２】図１の配管支持具用伴回り防止具の６面図
【図３】図１の配管支持具用伴回り防止具の装着状態を説明する要部平面図
【図４】図１の配管支持具用伴回り防止具のボルト脱落防止状態を説明する右側面図
【図５】本発明に係る配管支持具用伴回り防止具の第２実施例の使用状態を示す斜視図
【図６】図５の配管支持具用伴回り防止具の６面図
【図７】図５の配管支持具用伴回り防止具のボルト脱落防止及び伴回り防止状態を説明する右側面図
【図８】図５の配管支持具用伴回り防止具のボルト伴回り防止状態を説明する正面図
【図９】本発明に係る配管支持具用伴回り防止具の第２実施例の他の態様を示す正面図
【図１０】配管立てバンドに用いて好適な実施例を示す斜視図
【符号の説明】
１  伴回り防止具
１１・１２  挟持部の双璧
１３・１４  切込み部
１５  規制部
２  配管支持具
３  タンバックル
３Ａ・３Ｂ  脚部
４  ボルト
５  ナット
６  配管支持バンド
６Ａ・６Ｂ  配管抱持部
６Ｃ・６Ｄ  取付片
Ｂ  吊りボルト
Ｎ  ナット
Ｐ  配管
【図１】
2005003014.tif 000003
【図２】
2005003014.tif 000004
【図３】
2005003014.tif 000005
【図４】
2005003014.tif 000006
【図５】
2005003014.tif 000007
【図６】
2005003014.tif 000008
【図７】
2005003014.tif 000009
【図８】
2005003014.tif 000010
【図９】
2005003014.tif 000011
【図１０】
2005003014.tif 000012